(57)【特許請求の範囲】
【請求項１】
通風路中に、Ｖ字状または逆Ｖ字状に配置されたプレートフィンチューブ形の第１熱交換器および第２熱交換器と、
前記第１熱交換器および第２熱交換器の一端部間の隙間に設けられ、該隙間を遮風する遮風板と、
前記遮風板の本体の長さ方向の複数箇所に設けられ、それぞれ前記第１熱交換器および第２熱交換器の冷媒チューブに係止されて前記遮風板を前記第１熱交換器および第２熱交換器に固定設置する一対の係止爪と、を備え、
前記一対の係止爪の一方が、前記遮風板本体に対して回動自在に一体成形された可動爪とされていることを特徴とする空気調和機。
【請求項２】
前記可動爪には、その可動爪が前記第１熱交換器および第２熱交換器の冷媒チューブに係止されたとき、前記遮風板本体に係止して該可動爪を係止位置に固定する固定爪が一体に設けられていることを特徴とする請求項１に記載の空気調和機。
【請求項３】
前記固定爪の両側端面または該固定爪が回動して嵌合される前記遮風板本体の嵌合部の両側端面のいずれかに、該固定爪の戻り阻止用突起が設けられていることを特徴とする請求項２に記載の空気調和機。
【請求項４】
前記可動爪は、部分的に薄肉とされたヒンジ部を介して前記遮風板本体に一体成形されていることを特徴とする請求項１ないし３のいずれかに記載の空気調和機。
【請求項５】
前記遮風板は、前記可動爪を含めてＰＰ樹脂製の一体成形品とされていることを特徴とする請求項１ないし４のいずれかに記載の空気調和機。
【発明の詳細な説明】
【技術分野】
【０００１】
本発明は、熱交換器がＶ字状または逆Ｖ字状に配置され、そのＶ字状の頂部をなす部分の隙間に遮風板が設置されている空気調和機に関するものである。
【背景技術】
【０００２】
プレートフィンチューブ形の熱交換器を複数に分割し、その熱交換器を通風路中にＶ字状または逆Ｖ字状に配置している空気調和機では、２つの熱交換器の配置により形成されるＶ字状の頂部において、２つの熱交換器間に一定の隙間が設けられたり、フィンの存在しない部分が発生したりすることにより、熱交換器を通過せずに空気が流れるバイパス流が発生する場合がある。このようなバイパス流を阻止するため、２つの熱交換器間のＶ字状の頂部をなす部分に遮風板を設置している。
【０００３】
この遮風板は、特許文献１−３に示されるように、一定の幅を有する所定長さの遮風板本体に対して、その長さ方向の複数箇所に、２つの熱交換器の冷媒チューブに係止される一対の係止爪を設けた構成とされており、その一対の係止爪をそれぞれの熱交換器の冷媒チューブに係止させることにより、２つの熱交換器間のＶ字状の頂部をなす部分に、遮風板を固定設置している。そして、その係止爪の形状や配置、遮風板本体の構成等を、特許文献１−３に示す如く様々工夫することにより、遮風板の設置し易さや外部から付加される衝撃力（輸送・運搬時等の落下衝撃等）に対する設置強度を確保している。
【先行技術文献】
【特許文献】
【０００４】
【特許文献１】特開２００５−２４２２３号公報
【特許文献２】特開２０１０−６０２１０号公報
【特許文献３】特開２０１４−７７６１２号公報
【発明の概要】
【発明が解決しようとする課題】
【０００５】
しかしながら、特許文献１−３に開示されたものは、いずれも遮風板本体に対して２つの熱交換器の冷媒チューブに係止される固定型の一対の係止爪を一体に成形し、その固定型の係止爪、遮風板本体または遮風板本体に設けられた弾性部等を弾性変形させることにより、一対の係止爪を冷媒チューブに係止させるようにしたものである。この場合、遮風板の設置強度は、固定型の係止爪の係り代の大きさに左右されることになる。
【０００６】
このため、設置強度を確保すべく、係止爪の係り代を大きくすると、係止爪、遮風板本体または遮風板本体に設けられた弾性部を変形する際に、大きな力が必要となって遮風板の設置がし難くなるだけでなく、係止爪が破損する等のリスクが高くなる。従って、係止爪の冷媒チューブに対する係り代の大きさは自ずと制限されることとなり、外部から衝撃力が加わった場合に遮風板が外れ易くなる等の課題が生じ、別部品のクリップを用いて遮風板を押さえる等の対策を講ずることがあった。
【０００７】
また、遮風板本体に固定型の係止爪を設けた遮風板の場合、両端のヘアピンチューブ部をブラケットに挿入することにより支持されている熱交換器に遮風板を設置する際、遮風板の端部近くに係止爪を設けると、遮風板の一端をブラケットに挿し込む時に、係止爪が熱交換器のフィンと干渉し、挿し込むことができないことから、遮風板の一端から一定の距離だけ離れた位置に係止爪を設ける必要がある。このため、係止爪を遮風板の設置強度を確保すべく最適位置に配置することができない等の課題もあった。
【０００８】
本発明は、このような事情に鑑みてなされたものであって、Ｖ字状または逆Ｖ字状に配置された熱交換器間の頂部の隙間に設置される遮風板を、外部から衝撃力が加わっても外れないように、係止爪の係り代を十分大きくして設置強度を確保しても、設置の容易性を確保し得るようにした空気調和機を提供することを目的とする。
【課題を解決するための手段】
【０００９】
上記した課題を解決するために、本発明の空気調和機は、以下の手段を採用する。
すなわち、本発明にかかる空気調和機は、通風路中に、Ｖ字状または逆Ｖ字状に配置されたプレートフィンチューブ形の第１熱交換器および第２熱交換器と、前記第１熱交換器および第２熱交換器の一端部間の隙間に設けられ、該隙間を遮風する遮風板と、前記遮風板の本体の長さ方向の複数箇所に設けられ、それぞれ前記第１熱交換器および第２熱交換器の冷媒チューブに係止されて前記遮風板を前記第１熱交換器および第２熱交換器に固定設置する一対の係止爪と、を備え、前記一対の係止爪の一方が、前記遮風板本体に対して回動自在に一体成形された可動爪とされていることを特徴とする。
【００１０】
本発明によれば、第１熱交換器および第２熱交換器の一端部間の隙間を遮風する遮風板本体に設けられ、両熱交換器の冷媒チューブに係止されて遮風板を固定設置する一対の係止爪の一方を、遮風板本体に対して回動自在に一体成形した可動爪としているため、遮風板の設置に際して、一方の可動爪を非係止位置に回動した状態で、他方の係止爪を一方の熱交換器の冷媒チューブに係止した後、可動爪を回動して他方の熱交換器の冷媒チューブに係止させることにより、一対の係止爪を介して遮風板を第１および第２熱交換器間に固定設置することができる。また、遮風板の組付け時、両端部がブラケットに挿入支持されている熱交換器に対して、遮風板の端部近くに固定爪を設けると、遮風板の一端をブラケットに挿し込むとき、固定爪が熱交換器と干渉して挿し込みが困難となるが、一方を可動爪としたものでは、遮風板の端部近くに係止爪を設けた場合でも、可動爪を熱交換器との干渉を回避する位置に回動した状態で遮風板をブラケットに挿し込むことにより容易に設置することができる。従って、一対の係止爪を固定爪としたものに比べ、係止爪の係り代をより大きくして強固に遮風板を固定設置することができ、外部から加わる衝撃力等による遮風板の外れを確実に防止することができるとともに、遮風板本体の長さ方向の複数箇所に設けられる係止爪の配置の自由度を確保し、係止爪を最適位置に配置することによって遮風板の設置強度を一層高めることができる。
【００１１】
さらに、本発明の空気調和機は、上記の空気調和機において、前記可動爪には、その可動爪が前記第１熱交換器および第２熱交換器の冷媒チューブに係止されたとき、前記遮風板本体に係止して該可動爪を係止位置に固定する固定爪が一体に設けられていることを特徴とする。
【００１２】
本発明によれば、可動爪に、その可動爪が第１熱交換器または第２熱交換器の冷媒チューブに係止されたとき、遮風板本体に係止して該可動爪を係止位置に固定する固定爪が一体に設けられているため、可動爪が回動されて第１熱交換器または第２熱交換器の冷媒チューブに係止されたとき、可動爪に一体に設けられている固定爪が遮風板本体に係止されることにより、可動爪を冷媒チューブに対する係止位置に固定し、その回動を不可動とすることができる。従って、遮風板がいったん第１熱交換器と第２熱交換器間に設置されると、可動爪は遮風板本体と一体化された状態となることから、大きな係り代を以ってより強固に遮風板を固定設置することができる。
【００１３】
さらに、本発明の空気調和機は、上記の空気調和機において、前記固定爪の両側端面または該固定爪が回動して嵌合される前記遮風板本体の嵌合部の両側端面のいずれかに、該固定爪の戻り阻止用突起が設けられていることを特徴とする。
【００１４】
本発明によれば、固定爪の両側端面または該固定爪が回動して嵌合される遮風板本体の嵌合部の両側端面のいずれかに、該固定爪の戻り阻止用突起が設けられているため、可動爪の回動に伴い、固定爪が遮風板本体に対する係止位置に回動されたとき、固定爪の両側端面に設けられている戻り阻止用突起が遮風板本体の嵌合部の両側端面を乗り越え、または固定爪の両側端面が遮風板本体の嵌合部の両側端面に設けられている戻り阻止用突起を乗り越えて回動することにより、その戻り阻止用突起で固定爪の戻りを阻止することができる。従って、固定爪を遮風板本体に係止させて可動爪を遮風板本体と一体化した状態としたとき、固定爪の戻りを阻止してその状態を確実に固定化することで、遮風板の強固な固定設置を安定的に保持することができる。
【００１５】
また、本発明の空気調和機は、上述のいずれかの空気調和機において、前記可動爪は、部分的に薄肉とされたヒンジ部を介して前記遮風板本体に一体成形されていることを特徴とする。
【００１６】
本発明によれば、可動爪が、部分的に薄肉とされたヒンジ部を介して遮風板本体に一体成形されているため、部分的に薄肉とされているヒンジ部を介して可動爪を遮風板本体に対して回動自在とすることができ、可動爪に大きな係り代を設定しても遮風板本体を大きな力で撓ませることなく、可動爪を回動させて容易に熱交換器の冷媒チューブに対して係止させることができる。従って、固定爪としたものに比べ、係り代を大きしながら、遮風板の設置自体を容易化することができる。
【００１７】
また、本発明の空気調和機は、上述のいずれかの空気調和機において、前記遮風板は、前記可動爪を含めてＰＰ樹脂製の一体成形品とされていることを特徴とする。
【００１８】
本発明によれば、遮風板が、可動爪を含めてＰＰ（ポリプロピレン）樹脂製の一体成形品とされているため、ＰＰ（ポリプロピレン）樹脂は軽量で強度が高く、特に繰り返し曲げに強く、ヒンジ特性に優れていることから、ヒンジ部を介して回動自在とされる可動爪を有する遮風板用として最適であり、回動自在の可動爪を一体成形した強度の高い遮風板とすることができ、遮風板の設置強度を確保することができる。
【発明の効果】
【００１９】
本発明によると、遮風板の設置時、一方の可動爪を非係止位置に回動した状態で、他方の係止爪を一方の熱交換器の冷媒チューブに係止した後、可動爪を回動して他方の熱交換器の冷媒チューブに係止させることにより、一対の係止爪を介して遮風板を第１および第２熱交換器間に固定設置することができる。また、遮風板の組付け時、両端部がブラケットに挿入支持されている熱交換器に対して、遮風板の端部近くに固定爪を設けると、遮風板の一端をブラケットに挿し込むとき、固定爪が熱交換器と干渉して挿し込みが困難となるが、一方を可動爪としたものでは、遮風板の端部近くに係止爪を設けた場合でも、可動爪を熱交換器との干渉を回避する位置に回動した状態で遮風板をブラケットに挿し込むことにより容易に設置することができるため、一対の係止爪を固定爪としたものに比べ、係止爪の係り代をより大きくして強固に遮風板を固定設置することができ、外部から加わる衝撃力等による遮風板の外れを確実に防止することができるとともに、遮風板本体の長さ方向の複数箇所に設けられる係止爪の配置の自由度を確保し、係止爪を最適位置に配置することによって遮風板の設置強度を一層高めることができる。
【図面の簡単な説明】
【００２０】
【図１】本発明の一実施形態に係る空気調和機の斜視図である。
【図２】上記空気調和機の縦断面図である。
【図３】上記空気調和機の逆Ｖ字状配置とされた熱交換器の遮風板設置部の拡大側面図である。
【図４】上記遮風板の設置途中段階の状態を示す拡大側面図である。
【図５】上記遮風板を上面側から見た斜視図である。
【図６】上記遮風板を下面側から見た斜視図である。
【図７】上記遮風板を端面側から見た側面図である。
【図８】上記遮風板の可動爪を起こした状態の上面側から見た斜視図である。
【図９】上記遮風板の可動爪を起こした状態の端面側から見た側面図である。
【発明を実施するための形態】
【００２１】
以下に、本発明の一実施形態について、図１ないし図９を参照して説明する。
図１には、本発明の一実施形態に係る空気調和機の斜視図、図２には、その空気調和機の縦断面図が示されている。なお、本実施形態においては、壁掛け型の空気調和機に適用した例について説明するが、空気調和機の型式については、壁掛け型に限定されるものではなく、他型式の空気調和機にも適用できることは勿論である。
【００２２】
空気調和機（室内機）１は、横長の直方体形状とされた筐体２を備えている。この筐体２は、筐体２の背面側を構成するベース３と、ベース３の前面側に被せられている前面パネル４と、前面パネル４の前面開口部５を覆っている吸込みパネル６と、前面パネル４の前面と下面間に配設されている吹出しグリル７等によって構成されている。
【００２３】
ベース３には、後述の室内熱交換器１７を構成する第２熱交換器１７Ｂから流下するドレン水を受ける背面側ドレンパン８と、後述するクロスフローファン（送風ファン）１８から吹出される空気の吹出し流路２０Ａを形成する空気流路壁９と、冷媒配管類１０を収容する配管収容部１１が一体に成形されている。前面パネル４には、上面に吸込みグリル１２が形成されているとともに、前面開口部５の前方に吸込みパネル６が上方部を支点に上方に開閉可能に設置され、その下方部に吸込み口１３が開口されている。また、前面パネル４の前面と下面間に配設されている吹出しグリル７には、吹出し口１４が開口されている。
【００２４】
筐体２の内部には、吸込み口１３を含む前面パネル４の前面開口部５および吸込みグリル１２に沿って、エアフィルタ１５および空気浄化フィルタ１６が配設されており、その下流側の通風路２０中には、プレートフィンチューブ形の室内熱交換器１７が配設されている。この室内熱交換器１７は、図２に示されているように、前面側に配置される第１熱交換器１７Ａと、背面側に配置される第２熱交換器１７Ｂとに分割され、更に前面側の第１熱交換器１７Ａは、下方部がくの字状に折り曲げられた形状とされている。
【００２５】
この複数に分割または折り曲げられた室内熱交換器１７は、筐体２内の前面下部から上面および背面側にかけて、断面が逆Ｖ字状となるように配設されている。つまり、室内熱交換器１７の前面側に配置された第１熱交換器１７Ａと、背面側に配置された第２熱交換器１７Ｂとは、それぞれの上端部同士が互いに近接するとともに、下部側に行くにつれてその間隔が漸次広くなるように配設された、いわゆる逆Ｖ字状配置とされている。
【００２６】
また、室内熱交換器１７の下流側の通風路２０中には、細長い円筒形状とされたクロスフローファン（送風ファン）１８が水平軸周りに回転自在に配設され、筐体２内の右側部にベース３を介して設置されている図示省略のファンモータにより駆動されるように構成されている。クロスフローファン１８の下流側前方には、吹出しグリル７と一体成形されたスタビライザ１９が配設されており、そのスタビライザ１９とベース３に成形されている空気流路壁９とによって、吹出し口１４に至る吹出し流路２０Ａが形成されている。
【００２７】
吹出しグリル７には、室内熱交換器１７を構成している第１熱交換器１７Ａから流下するドレン水を受ける前面側ドレンパン２１が、スタビライザ１９と共に一体に成形されている。また、吹出しグリル７には、吹出し口１４から吹出される温調風の風向を左右方向に調整する複数枚の縦ルーバ（ルーバ）２２が回動可能に配設されるとともに、温調風の風向を上下方向に調整する水平フラップ（フラップ）２３が回動可能に配設されている。
【００２８】
室内熱交換器１７は、上記の如く前面側に配置される第１熱交換器１７Ａと、背面側に配置される第２熱交換器１７Ｂとに分割され、筐体２内の通風路中に前面下部から上面および背面側にかけて逆Ｖ字状に分割または折り曲げられて配置されているが、第１熱交換器１７Ａおよび第２熱交換器１７Ｂの上端部間には、所定の隙間が設定されており、その隙間は、空気流が室内熱交換器１７をバイパスして下流側に流れないように遮風板２４によって遮風されるようになっている。
【００２９】
遮風板２４は、図３ないし図９に示されるように、第１熱交換器１７Ａと第２熱交換器１７Ｂの上端部間を跨ぐ幅寸法および室内熱交換器１７の長さ方向寸法と略同一の長さ方向寸法を有する細長い薄板材からなる遮風板本体２５と、遮風板本体２５の長手方向の複数箇所に設けられている前後一対の複数組の係止爪２６，２７と、遮風板本体２５の一端側の端面に設けられた前後一対の第２係止爪２８，２９と、を備えた構成とされ、係止爪２６，２７および第２係止爪２８，２９が、第１熱交換器１７Ａおよび第２熱交換器１７Ｂの冷媒チューブ１７Ｃに係止されることにより固定設置されるようになっている。
【００３０】
遮風板本体２５は、長さ方向の前縁２５Ａ側が第１熱交換器１７Ａの上端面を覆うように湾曲された形状とされる一方、後縁２５Ｂ側が第２熱交換器１７Ｂの上端面に接するように斜め上方に折り曲げられた形状とされており、第１熱交換器１７Ａと第２熱交換器１７Ｂ間に固定設置されたとき、上面が第２熱交換器１７Ｂ側に向って５度程度、斜め下向きに傾斜して設置されるようになっている。更に、その傾斜した上面の最下位位置の長さ方向に沿う複数箇所に、遮風板２４の表面で結露したドレン水を第２熱交換器１７Ｂ上に排水するスリット状の排水孔３０が設けられた構成とされている。
【００３１】
また、遮風板本体２５の長さ方向の一端側の端面に設けられている前後一対の第２係止爪２８，２９は、それぞれ第１熱交換器１７Ａおよび第２熱交換器１７Ｂの冷媒チューブ１７Ｃに嵌め込むことにより嵌合される二又状の係止爪とされている。なお、遮風板本体２５の長さ方向の他端には、その他端を室内熱交換器１７の端部を支持する熱交支持ブラケット（図示省略）に挿し込むことにより固定するため、係止爪等は設けられていない。
【００３２】
さらに、遮風板本体２５の長さ方向の複数箇所（本実施形態では、５箇所）に略等間隔で設けられ、それぞれ第１熱交換器１７Ａおよび第２熱交換器１７Ｂの冷媒チューブ１７Ｃに係止される前後一対の係止爪２６，２７の中、前縁２５Ａ側の係止爪２６は、固定爪とされているが、後縁２５Ｂ側の係止爪２７は、回動自在とされた可動爪（以下、可動爪２７とも云う。）とされている。これら複数組の係止爪２６，２７、第２係止爪２８，２９および排水孔３０は、可動爪２７を含め遮風板本体２５に対して一体成形されている。
【００３３】
一対の係止爪２６，２７を構成する後縁２５Ｂ側の可動爪２７は、遮風板本体２５の後縁２５Ｂ側の部位を切り起したような形状の切り起し部３１の後縁部にフック形状をした爪３２を一体に設けたものであり、図４、図９に示されるように、遮風板本体２５との接続部が部分的に薄肉とされたヒンジ部３３を介して一体に連結されている。この遮風板２４は、軽量で強度が高く、特に繰り返し曲げに強く、ヒンジ特性に優れたＰＰ（ポリプロピレン）樹脂製の一体成形品とされており、回動自在とされた可動爪２７のヒンジ部３３のヒンジ機能を確保している。
【００３４】
また、切り起し部３１のヒンジ部３３よりも所定寸法だけ先端側の位置に段部３４が設けられており、その段部３４には、遮風板本体２５の下面側（図４および図９に示す切り起し部３１を起こした状態では、図示の右方向側）に突出した固定爪３５が一体に設けられている。この固定爪３５は、可動爪２７が図４、図９に示すように上方に起立した位置から、第２熱交換器１７Ｂの冷媒チューブ１７Ｃに係止する位置に回動されたとき、遮風板本体２５側に設けられている切欠き嵌合部（嵌合部）３６の端部に係止して可動爪２７の回動を不可動とし、可動爪２７をその位置に固定して遮風板本体２５と一体化した状態とするものである。
【００３５】
上記固定爪３５の左右両側端面には、可動爪２７が冷媒チューブ１７Ｃに係止する位置に回動されることにより、固定爪３５が切欠き嵌合部３６の端部に係止する位置に回動されたとき、切欠き嵌合部３６の両側端面と干渉してその位置からの固定爪３５の戻りを阻止する戻り阻止用突起３７が設けられている。なお、この戻り阻止用突起３７は、切欠き嵌合部３６の両側端面に設け、その戻り阻止用突起が固定爪３５と干渉して固定爪３５の戻りを阻止する構成としてもよい。
【００３６】
さらに、上記段部３４の反固定爪３５側の左右両側端面には、左右両側方に突出した一対のピン部３８が設けられており、その左右一対のピン部３８を嵌め込むためのピン嵌合部３９が切欠き嵌合部３６の左右両側の遮風板本体２５上に一体に設けられている。このピン部３８およびピン嵌合部３９は、可動爪２７が冷媒チューブ１７Ｃに係止する位置に回動されたとき、ピン部３８がピン嵌合部３９に嵌合され、可動爪２７を同位置に安定的に固定保持するためのものである。
【００３７】
以上に説明の構成により、本実施形態によれば、以下の作用効果を奏する。
空気調和機１が運転を開始すると、クロスフローファン（送風ファン）１８がモータにより回転される。これによって室内の空気が吸込みグリル１２および吸込み口１３を介して筐体２内に吸込まれる。筐体２内に吸込まれた空気は、エアフィルタ１５および空気浄化フィルタ１６によって清浄化された後、複数の第１熱交換器１７Ａおよび第２熱交換器１７Ｂとからなる室内熱交換器１７に通風され、室内熱交換器１７で冷媒と熱交換されることによって冷却または加熱される。
【００３８】
この温調風は、クロスフローファン（送風ファン）１８により付勢され、通風路２０および吹出し流路２０Ａを経て吹出し口１４から室内へと吹出されることにより、室内の空調に供される。室内に吹出される温調風は、吹出し口１４に設けられている縦ルーバ（ルーバ）２２および水平フラップ（フラップ）２３によって風向が調整され、任意のエリアに向けて吹出されることになる。
【００３９】
この間、第１熱交換器１７Ａおよび第２熱交換器１７Ｂの上端部間に固定設置されている遮風板２４は、その上端部間の隙間を通して室内空気が室内熱交換器１７をバイパスして流れるのを阻止し、非温調風が室内熱交換器１７を通過した温調風に混合して吹出されることによる空調フィーリングの悪化等の弊害を解消するように作用する。また、冷房運転時、室内熱交換器１７は、蒸発器として機能し、この場合、室内熱交換器１７を介して冷却されている遮風板２４の表面で結露が発生する虞があるが、そのドレン水は、遮風板２４の上面の傾斜面に沿って第２熱交換器１７Ｂ側に流れ、排水孔３０を介して第２熱交換器１７Ｂ上に排出されることにより背面側ドレンパン８に導かれることになる。
【００４０】
一方、上記遮風板２４は、第１熱交換器１７Ａおよび第２熱交換器１７Ｂの上端部間の隙間に、その長さ方向の複数箇所に設けられている前後一対の係止爪２６，２７を介して第１および第２熱交換器１７Ａ，１７Ｂの冷媒チューブ１７Ｃに係止されることにより固定設置されるが、この一対の係止爪２６，２７の中、一方の係止爪２７が遮風板本体２５に対して回動自在に一体成形された構成とされてすることから、具体的には、以下の手順により固定設置されるようになっている。
【００４１】
遮風板２４は、遮風板本体２５の係止爪が設けられていない側の一端を熱交支持ブラケット（図示省略）に挿入し、他端側の一対の第２係止爪２８，２９を第１熱交換器１７Ａおよび第２熱交換器１７Ｂの他端部の冷媒チューブ１７Ｃに嵌合することにより組付けられるが、この際、長さ方向の複数箇所に設けられている一対の係止爪２６，２７は、一方の可動爪２７を、図４および図８−９に示すように上方に起立した状態で、まず遮風板本体２５の湾曲形状とされた前縁２５Ａ側で第１熱交換器１７Ａの上端部を覆うようにして係止爪２６を第１熱交換器１７Ａの冷媒チューブに係止させ、遮風板本体２５の後縁２５Ｂ側の傾斜面を第２熱交換器１７Ｂの上端面に接触させた状態とする。この状態が図４に示されている。
【００４２】
次いで、上方に起立されている可動爪２７の切り起し部３１を、ヒンジ部３３から後方へと略水平位置に向って回動させ、切欠き嵌合部３６に嵌め込むことによって、可動爪２７のフック形状とされている爪３２を第２熱交換器１７Ｂの冷媒チューブ１７Ｃに係止させる。そして、上記の如く、可動爪２７を切欠き嵌合部３６に嵌め込むように回動させることによって、固定爪３５の左右両側端面に設けられている戻り阻止用突起３７が切欠き嵌合部３６の両側端面を超えるように、または切欠き嵌合部３６の両側端面に設けられている戻り阻止用突起を固定爪３５が超えるように下方に回動された状態となる。
【００４３】
これによって、固定爪３５が遮風板本体２５に設けられている切欠き嵌合部３６の端部に係止され、可動爪２７の回動を不可動とし、可動爪２７をその位置に固定して遮風板本体２５と一体化した状態とする。この固定爪３５は、左右両側端面に設けられている戻り阻止用突起３７が切欠き嵌合部３６の両側端面を超えるように、または切欠き嵌合部３６の両側端面に設けられている戻り阻止用突起を固定爪３５が超えるように下方に回動されることから、反対回りの回動は戻り阻止用突起３７によって阻止される。従って、可動爪２７を確実に第２熱交換器１７Ｂの冷媒チューブ１７Ｃに係止された位置に固定保持することができる。
【００４４】
さらに、可動爪２７は、第２熱交換器１７Ｂの冷媒チューブ１７Ｃに係止した位置に回動されたとき、切り起し部３１の段部３４位置の左右両側端面に設けられている左右両側方に突出する一対のピン部３８が、遮風板本体２５の上面に一体に設けられているピン嵌合部３９に嵌め込まれることによっても、その係止位置に安定的に固定保持されるようになっている。
【００４５】
斯くして、本実施形態によると、第１熱交換器１７Ａおよび第２熱交換器１７Ｂの一端部間の隙間を遮風する遮風板２４に設けられ、両熱交換器１７Ａ，１７Ｂの冷媒チューブ１７Ｃに係止されることによって遮風板２４を固定設置する一対の係止爪２６，２７の一方が、遮風板本体２５に回動自在に一体成形された可動爪２７とされているため、遮風板２４の設置に際し、一方の可動爪２７を非係止位置に回動した状態で、他方の係止爪２６を一方の第１熱交換器１７Ａの冷媒チューブ１７Ｃに係止した後、可動爪２７を回動して他方の第２熱交換器１７Ｂの冷媒チューブ１７Ｃに係止させることにより、一対の係止爪２６，２７を介して遮風板２４を第１および第２熱交換器１７Ａ，１７Ｂ間に固定設置することができる。
【００４６】
また、遮風板２４の組付け時、両端部が支持ブラケットに挿入支持されている室内熱交換器１７に対して、遮風板２４の端部近くに固定した係止爪を設けると、遮風板２４の一端をその支持ブラケットに挿し込むとき、固定した係止爪が室内熱交換器のフィンと干渉して挿し込みが困難となるが、一方を可動爪２７としたものでは、遮風板２４の端部近くに係止爪２６，２７を設けた場合でも、可動爪２７を第２熱交換器１７Ｂとの干渉を回避する位置に回動した状態で遮風板２４を熱交支持ブラケットに挿し込むことにより容易に設置することができる。
【００４７】
従って、一対の係止爪２６，２７を固定構造の爪としたものに比べ、係止爪２６，２７の係り代をより大きくして強固に遮風板２４を固定設置することができ、このため、輸送・搬送時の衝突、落下等により外部から加わる衝撃力等による遮風板２４の外れを確実に防止することができるとともに、遮風板本体２５の長さ方向の複数箇所に設けられる係止爪２６，２７の配置の自由度を確保し、係止爪２６，２７を最適位置に配置することによって遮風板２４の設置強度を一層高めることができる。
【００４８】
また、上記可動爪２７に、その可動爪２７が室内熱交換器１７の分割された第１熱交換器１７Ａまたは第２熱交換器１７Ｂの一方の冷媒チューブ１７Ｃに係止されたとき、遮風板本体２５に係止して当該可動爪２７を係止位置に固定する固定爪３５が一体に設けられているため、可動爪２７が回動されて第１熱交換器１７Ａまたは第２熱交換器１７Ｂの冷媒チューブ１７Ｃに係止されたとき、可動爪２７に一体に設けられている固定爪３５が遮風板本体２５に係止されることにより、可動爪２７を冷媒チューブ１７Ｃに対する係止位置に固定し、その回動を不可動とすることができる。
【００４９】
これによって、遮風板２４がいったん第１熱交換器１７Ａと第２熱交換器１７Ｂ間に設置されると、可動爪２７は遮風板本体２５と一体化された状態となることから、大きな係り代を以ってより強固に遮風板２４を第１熱交換器１７Ａと第２熱交換器１７Ｂ間の隙間に固定設置することができる。
【００５０】
さらに、本実施形態によると、固定爪３５の両側端面または該固定爪３５が回動して嵌合される遮風板本体２５の切欠き嵌合部（嵌合部）３６の両側端面のいずれかに、固定爪３５の戻り阻止用突起３７が設けられている。このため、可動爪２７の回動に伴い、固定爪３５が遮風板本体２５に対する係止位置に回動されたとき、固定爪３５の両側端面に設けられている戻り阻止用突起３７が遮風板本体２５の切欠き嵌合部３６の両側端面を乗り越え、または固定爪３５の両側端面が遮風板本体２５の切欠き嵌合部３６の両側端面に設けられている戻り阻止用突起３７を乗り越えて回動することにより、その戻り阻止用突起３７で固定爪３５の戻りを阻止することができる。
【００５１】
このように、固定爪３５を遮風板本体２５に係止させて可動爪２７を遮風板本体２５と一体化した状態としたとき、固定爪３５の戻りを阻止してその状態を確実に固定化することによって、遮風板２４の強固な固定設置をより安定的に保持することができる。
【００５２】
また、上記可動爪２７が、部分的に薄肉とされたヒンジ部３３を介して遮風板本体２５に一体成形されているため、部分的に薄肉とされているヒンジ部３３を介して可動爪２７を遮風板本体２５に対して回動自在とすることができ、可動爪２７に大きな係り代を設定しても遮風板本体２５を大きな力で撓ませることなく、可動爪２７を回動させて容易に第１または第２熱交換器１７Ａ，１７Ｂの冷媒チューブ１７Ｃに対して係止させることができる。従って、固定構造の爪としたものに比べ、係り代を大きしながら、遮風板２４の設置自体を容易化することができる。
【００５３】
更に、遮風板２４が、可動爪２７を含めてＰＰ（ポリプロピレン）樹脂製の一体成形品とされているため、ＰＰ（ポリプロピレン）樹脂は軽量で強度が高く、特に繰り返し曲げに強く、ヒンジ特性に優れていることから、ヒンジ部３３を介して回動自在とされる可動爪２７を有する遮風板２４用として最適であり、回動自在の可動爪２７を一体成形した強度の高い遮風板２４とすることができ、遮風板２４の設置強度を確保することができる。
【００５４】
なお、本発明は、上記実施形態にかかる発明に限定されるものではなく、その要旨を逸脱しない範囲において、適宜変形が可能である。例えば、上記実施形態では、通風路２０中に逆Ｖ字状に第１熱交換器１７Ａおよび第２熱交換器１７Ｂを配置した例について説明したが、通風路中に２つの熱交換器をＶ字状に配置した構成とされている空気調和機にも同様に適用できることは勿論である。
【００５５】
また、上記実施形態では、遮風板２４に設ける一対の係止爪２６，２７の中の一方の係止爪２７を回動自在の可動爪２７としているが、係止爪２７を固定構造の爪とし、他方の係止爪２６を回動自在の可動爪としてもよいことは云うまでもない。
【符号の説明】
【００５６】
１  空気調和機
１７  室内熱交換器
１７Ａ  第１熱交換器
１７Ｂ  第２熱交換器
１７Ｃ  冷媒チューブ
２０  通風路
２４  遮風板
２５  遮風板本体
２６  係止爪
２７  係止爪（可動爪）
３３  ヒンジ部
３５  固定爪
３６  切欠き嵌合部（嵌合部）
３７  戻り阻止用突起
【図１】
0006448987.tif 000002
【図２】
0006448987.tif 000003
【図３】
0006448987.tif 000004
【図４】
0006448987.tif 000005
【図５】
0006448987.tif 000006
【図６】
0006448987.tif 000007
【図７】
0006448987.tif 000008
【図８】
0006448987.tif 000009
【図９】
0006448987.tif 000010